(57)【要約】      （修正有）【課題】容易にロック及びロック解除することができる電子装置を提供する。【解決手段】電子装置は、ベース１０及びベースに回転可能に連接される上カバー２０を備える。上カバーの外側にはマーク２３が設けられ、このマークは加えられた操作動作を感知すると、相応する信号を生成し、識別ユニットに送信する。前記識別ユニットが、前記感知信号に基づき、操作動作をした指紋が権限者の指紋であるかどうかを判断して、電子装置をロック解除する。【選択図】図１
2014154146.tif 000002
【特許請求の範囲】
【請求項１】
ベース及び前記ベースに回転可能に連接される上カバーを備えてなる電子装置であって、上カバーの外側にはマークが設けられ、前記マークは、加えられた操作動作を感知して前記電子装置をロック解除することを特徴とする電子装置。
【請求項２】
前記マークは、カーボンナノチューブによって覆われたタッチパネルによって形成されることを特徴とする請求項１に記載の電子装置。
【請求項３】
前記ベース内には識別ユニットが設置され、前記マークは加えられた操作動作を感知すると、相応する信号を生成し、前記識別ユニットに送信することを特徴とする請求項２に記載の電子装置。
【請求項４】
前記識別ユニットが、前記感知信号に基づき、操作動作をした指紋が権限者の指紋であるかどうかを判断することを特徴とする請求項３に記載の電子装置。
【請求項５】
前記ベース内には更に制御ユニットが設置され、前記識別ユニットは前記感知信号に基づき操作動作を識別して、相応する制御信号を前記制御ユニットに送信することを特徴とする請求項４に記載の電子装置。
【請求項６】
前記ベース内には更に電磁部が設置され、前記上カバーには前記電磁部に対応して磁力を有する固定部が設置され、前記識別ユニットが、指の操作動作が第一操作動作であると識別した場合、前記電磁部を通電させる信号を前記制御ユニットに送信し、前記制御ユニットは電磁部を通電させ且つ磁力を発生させ、前記電磁部は前記固定部を吸着し、また、前記識別ユニットが、指の操作動作が第二操作動作であると識別した場合、前記電磁部の電気を止める信号を前記制御ユニットに送信し、前記制御ユニットは前記電磁部の電気を止め、前記電磁部は磁力を失い且つ固定部を吸着しなくなることを特徴とする請求項５に記載の電子装置。
【請求項７】
電子装置の上カバーに設けられたマークが、加えられた操作動作を感知すると、相応する信号を生成し識別ユニットに送信するステップと、
前記識別ユニットが、前記感知信号に基づき、操作動作をした指紋が権限者の指紋であるかどうかを判断し、指紋が一致しない場合、制御ユニットにロック信号を送信して電子装置をロックし、指紋が一致した場合、前記感知信号に基づき操作動作を識別し、相応する制御信号を前記制御ユニットに送信するステップと、
前記制御ユニットが前記制御信号に従い前記電子装置を制御するステップとを備えることを特徴とする電子装置の制御方法。
【請求項８】
前記識別ユニットが、指の操作動作が第一操作動作であると識別した場合、前記電磁部を通電させる信号を前記制御ユニットに送信し、前記制御ユニットは電磁部を通電させ且つ磁力を発生させ、前記電磁部は前記固定部を吸着することを特徴とする請求項７に記載の電子装置の制御方法。
【請求項９】
前記識別ユニットが、指の操作動作が第二操作動作であると識別した場合、前記電磁部の電気を止める信号を前記制御ユニットに送信し、前記制御ユニットは前記電磁部の電気を止め、前記電磁部は磁力を失い且つ固定部を吸着しなくなることを特徴とする請求項７に記載の電子装置の制御方法。
【発明の詳細な説明】
【技術分野】
【０００１】
本発明は、ロック機能を有する電子装置に関するものである。
【背景技術】
【０００２】
従来の技術において、ノートパソコンなどの電子装置の上カバー及びベースには、固定孔及びフック部がそれぞれ設けられ、フック部が固定孔に係合されることによって上カバーをベースにロックすることができる。ノートパソコンを使用する際、フック部に連接する操作部を操作してフック部を固定孔から退出させることによって、上カバーを回転させて使用する。しかし、固定孔及びフック部を設けると、電子装置の美観に影響を及ぼす。また、電子装置をロック解除するには、操作部に大きな外力を加える必要があるため、不便である。
【発明の概要】
【発明が解決しようとする課題】
【０００３】
本発明の目的は、前記問題を解決し、容易にロック及びロック解除することができる電子装置を提供することである。
【課題を解決するための手段】
【０００４】
上記目的を達成するために、本発明に係る電子装置は、ベース及び該ベースに回転可能に連接される上カバーを備える。前記上カバーの外側にはマークが設けられ、前記マークは加えられた操作動作を感知して、前記電子装置をロック解除する。
【発明の効果】
【０００５】
本発明に係る電子装置は、電磁部及び磁力を有する固定部を互いに吸着させると、電子装置をロックできる。また、マークに操作動作を加えると、電子装置をロック解除できるので、操作が容易である。
【図面の簡単な説明】
【０００６】
【図１】本発明の実施形態に係る電子装置の立体図である。
【図２】図１に示す電子装置のブロック図である。
【図３】図１に示す電子装置が操作される方向を示す図である。
【図４】図１に示す電子装置の制御方法のフローチャートである。
【図５】図４に示すフローチャートのステップ４０５の詳細なフローチャートである。
【発明を実施するための形態】
【０００７】
図１及び図２に示したように、本発明の実施形態に係る電子装置は、ベース１０及び上カバー２０を備える。
【０００８】
上カバー２０は、回転側２１及び回転側２１とは離れた側に位置する自由側２２を備える。回転側２１は、ベース１０に回転可能に連接される。上カバー２０の外側（ベース１０とは離れた側）には、マーク２３が設けられている。マーク２３は、電子装置のブランドマークであっても良い。マーク２３は、カーボンナノチューブによって覆われたタッチパネルによって形成される。上カバー２０の内側（ベース１０に面する側）の自由側２２に隣接する両端には、磁性材料によって製造された固定部２５がそれぞれ設置されている。
【０００９】
ベース１０の上面には、固定部２５に対応して２つの電磁部１１が設置されている。ベース１０内には、マーク２３に接続される識別ユニット１２、識別ユニット１２及び電磁部１１に接続される制御ユニット１３、が設置されている。
【００１０】
図３に示したように、マーク２３はタッチパネルによって形成されているため、ユーザによる操作動作を感知できる。この操作動作は、左から右へマーク２３に沿ってスライドする動作、右から左へマーク２３に沿ってスライドする動作など様々な操作動作を含む。マーク２３は以上の操作動作の内の１つを感知すると、相応する感知信号を生成して識別ユニット１２に送信する。
【００１１】
識別ユニット１２は感知信号に基づき、マーク２３にタッチされた指紋及び操作動作を識別し、制御信号を生成する。例えば、識別ユニット１２が、指紋が権限者の指紋であると識別した場合、その指の操作動作に基づいて、対応する信号を制御ユニット１３に送信する。制御ユニット１３は、この制御信号に従い、電子装置を制御する。識別ユニット１２が、指紋が権限者の指紋ではないと識別した場合、制御ユニット１３への送信を行わないか、又は制御ユニット１３にロック信号を送信する。制御ユニット１３は、このロック信号に従い、電子装置をロックして不法侵入を防ぐ。
【００１２】
識別ユニット１２が制御ユニット１３に送信する制御信号は、電磁部１１を制御する信号を含む。例えば、権限者がマーク２３に第一操作動作を加える（例えば指を左から右へマーク２３に沿ってスライドさせる）と、識別ユニット１２は、電磁部１１に電流を通す信号を制御ユニット１３に送信する。次いで、制御ユニット１３は電磁部１１に電流を通すように制御する。これによって、電磁部１１は磁力を発生する。この時、上カバー２０をベース１０にカバーさせると、電磁部１１は各固定部２５を吸着し、上カバー２０をベース１０に固定させて電子装置をロックする。
【００１３】
権限者がマーク２３に第二操作動作を加える（例えば、指を右から左へマーク２３に沿ってスライドさせる）と、識別ユニット１２は、電磁部１１の電気を止める信号を制御ユニット１３に送信する。次いで、制御ユニット１３は電磁部１１の電気を止めるように制御する。これによって、電磁部１１は磁力を失い、固定部２５それぞれに対する吸着は解除され、電子装置はロック解除される。
【００１４】
図４は、電子装置の制御方法のフローチャートであり、以下のステップを備える。
【００１５】
ステップ４０１において、マーク２３は、マーク２３に加えられた操作動作を感知して、相応する信号を識別ユニット１２に送信する。
【００１６】
ステップ４０２において、識別ユニット１２は、感知信号に基づいて、指紋が権限者の指紋であるかどうかを判断し、指紋が一致した場合、ステップ４０４に進み、指紋が一致しない場合、ステップ４０３に進む。
【００１７】
ステップ４０３において、識別ユニット１２は、ロック信号を制御ユニット１３に送信し、制御ユニット１３は電子装置をロックする。
【００１８】
ステップ４０４において、識別ユニット１２は感知信号に基づいて、操作動作を識別し且つ相応する信号を制御ユニット１３に送信する。
【００１９】
ステップ４０５において、制御ユニット１３は制御信号に従い電子装置を制御する。
【００２０】
図５は、ステップ４０５の詳細なステップであり、以下のステップを備える。
【００２１】
ステップ５０１において、識別ユニット１２が、指の操作動作が第一操作動作であると識別した場合、電磁部１１を通電させる信号を制御ユニット１３に送信し、制御ユニット１３は電磁部１１を通電させ、電磁部１１は磁力を発生させる。
【００２２】
ステップ５０２において、識別ユニット１２が、指の操作動作が第二操作動作であると識別した場合、電磁部１１の電気を止める信号を制御ユニット１３に送信し、制御ユニット１３は電磁部１１の電気を止め、電磁部１１は磁力を失う。
【符号の説明】
【００２３】
１０  ベース
１１  電磁部
１２  識別ユニット
１３  制御ユニット
２０  上カバー
２１  回転側
２２  自由側
２３  マーク
２５  固定部
【図１】
2014154146.tif 000003
【図２】
2014154146.tif 000004
【図３】
2014154146.tif 000005
【図４】
2014154146.tif 000006
【図５】
2014154146.tif 000007